(57)【特許請求の範囲】
【請求項１】
コンテンツデータを記憶する第１コンテンツデータ記憶手段と、
通信相手のアクセス情報と、前記通信相手からのアクセスに関連付けて前記コンテンツデータを特定する情報とを登録した第１アドレス帳を記憶する第１アドレス帳記憶手段と、
前記コンテンツデータを再生するための再生手段と、
他の機器と通信する通信手段と、
前記通信手段を利用して、通信相手のアクセス情報と、前記通信相手からのアクセスに関連付けてコンテンツデータを特定する情報とを登録した第２アドレス帳を記憶する第２アドレス帳記憶手段を備えた他の情報通信機器と通信することにより、前記第１アドレス帳に記憶されている前記通信相手からのアクセスに関連付けて前記コンテンツデータを特定する情報と、前記第２アドレス帳に記憶されている前記通信相手からのアクセスに関連付けて前記コンテンツデータを特定する情報との少なくとも一方を更新することで、前記第１アドレス帳と前記第２アドレス帳との前記通信相手からのアクセスに関連付けた前記コンテンツデータを特定する情報を同期させるよう制御する第１制御手段とを備え、
前記通信手段は、前記通信相手からのアクセスを受けた前記他の情報通信機器より、前記第１アドレス帳において前記通信相手からのアクセスに関連付けて登録されている前記コンテンツデータを特定する情報の検索を受付ける、情報通信機器。
【請求項２】
前記通信手段は、少なくとも前記第２アドレス帳記憶手段を備えた情報通信機器と、公衆網との両方に対して、それぞれ通信することが可能であり、
前記再生手段は、前記通信相手から公衆網を介して前記通信手段を利用してアクセスがあった時に、前記第１アドレス帳に記憶されている前記通信相手からのアクセスに関連付けて前記コンテンツデータを特定する情報によって特定される前記コンテンツデータを再生する、請求項１に記載の情報通信機器。
【請求項３】
前記通信手段は、前記他の情報通信機器から前記コンテンツデータの要求を受付け、前記要求に応じて前記コンテンツデータを前記他の情報通信機器に対して送信する、請求項１または２に記載の情報通信機器。
【請求項４】
前記コンテンツデータの複製が制限されている場合、前記通信手段での前記コンテンツデータの送信を制限する第２制御手段をさらに備える、請求項１〜３のいずれかに記載の情報通信機器。
【請求項５】
前記第１アドレス帳において前記通信相手からのアクセスに関連付けて登録されている前記コンテンツデータを特定する情報を、予め定められたルールに従って更新するよう制御する第３制御手段をさらに備える、請求項１〜４のいずれかに記載の情報通信機器。
【請求項６】
コンテンツデータを記憶する第１コンテンツデータ記憶手段と、
通信相手のアクセス情報と、前記通信相手からのアクセスに関連付けて前記コンテンツデータを特定する情報とを登録した第１アドレス帳を記憶する第１アドレス帳記憶手段と、
前記コンテンツデータを再生するための再生手段と、
他の機器と通信する通信手段と、
前記通信手段を利用して、通信相手のアクセス情報と、前記通信相手からのアクセスに関連付けてコンテンツデータを特定する情報とを登録した第２アドレス帳を記憶する第２アドレス帳記憶手段を備えた他の情報通信機器と通信することにより、前記第１アドレス帳に記憶されている前記通信相手からのアクセスに関連付けて前記コンテンツデータを特定する情報と、前記第２アドレス帳に記憶されている前記通信相手からのアクセスに関連付けて前記コンテンツデータを特定する情報との少なくとも一方を更新することで、前記第１アドレス帳と前記第２アドレス帳との前記通信相手からのアクセスに関連付けた前記コンテンツデータを特定する情報を同期させるよう制御する第１制御手段と、
前記第１アドレス帳に登録されている前記コンテンツデータを特定する情報によって特定されるコンテンツデータが前記第１コンテンツデータ記憶手段に記憶されているか否かを調査する調査手段と、
前記第１アドレス帳に登録されている前記情報によって特定されるコンテンツデータが前記第１コンテンツデータ記憶手段に記憶されていない場合に、前記通信手段を用いて、該当するコンテンツデータを、前記第２アドレス帳記憶手段を備えた他の情報通信機器から取得する第１取得手段とを備える、情報通信機器。
【請求項７】
コンテンツデータを記憶する第１コンテンツデータ記憶手段と、
通信相手のアクセス情報と、前記通信相手からのアクセスに関連付けて前記コンテンツデータを特定する情報とを登録した第１アドレス帳を記憶する第１アドレス帳記憶手段と、
前記コンテンツデータを再生するための再生手段と、
他の機器と通信する通信手段と、
前記通信手段を利用して、通信相手のアクセス情報と、前記通信相手からのアクセスに関連付けてコンテンツデータを特定する情報とを登録した第２アドレス帳を記憶する第２アドレス帳記憶手段を備えた他の情報通信機器と通信することにより、前記第１アドレス帳に記憶されている前記通信相手からのアクセスに関連付けて前記コンテンツデータを特定する情報と、前記第２アドレス帳に記憶されている前記通信相手からのアクセスに関連付けて前記コンテンツデータを特定する情報との少なくとも一方を更新することで、前記第１アドレス帳と前記第２アドレス帳との前記通信相手からのアクセスに関連付けた前記コンテンツデータを特定する情報を同期させるよう制御する第１制御手段と、
前記第１アドレス帳に登録されている前記コンテンツデータを特定する情報によって特定されるコンテンツデータが前記第１コンテンツデータ記憶手段に記憶されているか否かを調査する調査手段と、
前記第１アドレス帳に登録されている前記情報によって特定されるコンテンツデータが前記第１コンテンツデータ記憶手段に記憶されていない場合に、前記通信手段を用いて、公衆通信網を介して、該当するコンテンツデータをコンテンツサーバから取得する第２取得手段とを備える、情報通信機器。
【請求項８】
前記該当するコンテンツデータは、前記第１アドレス帳に登録されている前記情報によって特定されるコンテンツデータと所定の属性が同じコンテンツデータである、請求項６または７に記載の情報通信機器。
【請求項９】
コンピュータに処理を実行させるプログラムであって、
前記コンピュータは、コンテンツデータを記憶する第１記憶領域と、通信相手のアクセス情報と、前記通信相手からのアクセスに関連付けて前記コンテンツデータを特定する情報とを登録した第１アドレス帳を記憶する第２記憶領域とを含む記憶装置を含み、
通信相手のアクセス情報を登録した第２アドレス帳を記憶する情報通信機器と通信を行ない、前記第１アドレス帳に記憶されている前記通信相手からのアクセスに関連付けて前記コンテンツデータを特定する情報と、前記第２アドレス帳に記憶されている前記通信相手からのアクセスに関連付けて前記コンテンツデータを特定する情報との少なくとも一方を更新することで、前記第１アドレス帳と前記第２アドレス帳との前記通信相手からのアクセスに関連付けて前記コンテンツデータを特定する情報を同期させるよう制御するステップと、
前記情報通信機器と通信を行ない、前記通信相手からのアクセスを受けた前記情報通信機器より、前記第１アドレス帳において前記通信相手からのアクセスに関連付けて登録されている前記コンテンツデータを特定する情報の検索を受付けるステップとを実行させる、情報処理プログラム。
【請求項１０】
前記通信相手から公衆網を介してアクセスがあった時に、前記第１アドレス帳に記憶されている前記通信相手からのアクセスに関連付けて前記コンテンツデータを特定する情報によって特定される前記コンテンツデータを再生するステップをさらに実行させる、請求項９に記載の情報処理プログラム。
【請求項１１】
前記情報通信機器から前記コンテンツデータの要求を受付けるステップと、
前記要求に応じて前記コンテンツデータを前記情報通信機器に対して送信するステップとをさらに実行させる、請求項９または１０に記載の情報処理プログラム。
【請求項１２】
前記コンテンツデータの複製が制限されている場合、前記コンテンツデータの送信を制限する制御ステップをさらに実行させる、請求項９〜１１のいずれかに記載の情報処理プログラム。
【請求項１３】
前記第１アドレス帳において前記通信相手からのアクセスに関連付けて登録されている前記コンテンツデータを特定する情報を、予め定められたルールに従って更新するよう制御するステップをさらに実行させる、請求項９〜１２のいずれかに記載の情報処理プログラム。
【請求項１４】
コンピュータに処理を実行させるプログラムであって、
前記コンピュータは、コンテンツデータを記憶する第１記憶領域と、通信相手のアクセス情報と、前記通信相手からのアクセスに関連付けて前記コンテンツデータを特定する情報とを登録した第１アドレス帳を記憶する第２記憶領域とを含む記憶装置を含み、
通信相手のアクセス情報を登録した第２アドレス帳を記憶する情報通信機器と通信を行ない、前記第１アドレス帳に記憶されている前記通信相手からのアクセスに関連付けて前記コンテンツデータを特定する情報と、前記第２アドレス帳に記憶されている前記通信相手からのアクセスに関連付けて前記コンテンツデータを特定する情報との少なくとも一方を更新することで、前記第１アドレス帳と前記第２アドレス帳との前記通信相手からのアクセスに関連付けて前記コンテンツデータを特定する情報を同期させるよう制御するステップと、
前記第１アドレス帳に登録されている前記コンテンツデータを特定する情報によって特定されるコンテンツデータが前記記憶装置に記憶されているか否かを調査するステップと、
前記第１アドレス帳に登録されている前記情報によって特定されるコンテンツデータが前記記憶装置に記憶されていない場合に、該当するコンテンツデータを前記第２アドレス帳を記憶する他の情報通信機器から取得するステップとを実行させる、情報処理プログラム。
【請求項１５】
コンピュータに処理を実行させるプログラムであって、
前記コンピュータは、コンテンツデータを記憶する第１記憶領域と、通信相手のアクセス情報と、前記通信相手からのアクセスに関連付けて前記コンテンツデータを特定する情報とを登録した第１アドレス帳を記憶する第２記憶領域とを含む記憶装置を含み、
通信相手のアクセス情報を登録した第２アドレス帳を記憶する情報通信機器と通信を行ない、前記第１アドレス帳に記憶されている前記通信相手からのアクセスに関連付けて前記コンテンツデータを特定する情報と、前記第２アドレス帳に記憶されている前記通信相手からのアクセスに関連付けて前記コンテンツデータを特定する情報との少なくとも一方を更新することで、前記第１アドレス帳と前記第２アドレス帳との前記通信相手からのアクセスに関連付けて前記コンテンツデータを特定する情報を同期させるよう制御するステップと、
前記第１アドレス帳に登録されている前記コンテンツデータを特定する情報によって特定されるコンテンツデータが前記記憶装置に記憶されているか否かを調査するステップと、
前記第１アドレス帳に登録されている前記情報によって特定されるコンテンツデータが前記記憶装置に記憶されていない場合に、公衆通信網を介して、該当するコンテンツデータをコンテンツサーバから取得するステップとを実行させる、情報処理プログラム。
【請求項１６】
前記該当するコンテンツデータは、前記第１アドレス帳に登録されている前記情報によって特定されるコンテンツデータと所定の属性が同じコンテンツデータである、請求項１４または１５に記載の情報処理プログラム。
【請求項１７】
第１情報通信機器と第２情報通信機器とを含む情報通信システムであって、
前記第１情報通信機器は、
コンテンツデータを記憶する第１コンテンツデータ記憶手段と、
通信相手のアクセス情報と、前記通信相手からのアクセスに関連付けて前記コンテンツデータを特定する情報とを登録した第１アドレス帳を記憶する第１アドレス帳記憶手段と、
前記第２通信機器と通信する通信手段とを備え、
前記第２情報通信機器は、
コンテンツデータを記憶する第２コンテンツデータ記憶手段と、
通信相手のアクセス情報と、前記通信相手からのアクセスに関連付けて前記第１コンテンツデータ記憶手段に記憶されているコンテンツデータを特定する情報とを登録した第２アドレス帳を記憶する第２アドレス帳記憶手段と、
公衆通信網に接続するための第１通信手段と、
コンテンツデータを再生するコンテンツデータ再生手段と、
前記第１情報通信機器と通信を行なう第２通信手段と、
前記第２通信手段を利用して前記第１情報通信機器と通信することにより、前記第１アドレス帳と前記第２アドレス帳との前記通信相手からのアクセスに関連付けた前記コンテンツデータを特定する情報を同期させるように、前記第２アドレス帳に記憶されている前記通信相手からのアクセスに関連付けて前記コンテンツデータを特定する情報を更新するよう制御する第１制御手段と、
公衆通信網を介してアクセスを受けると、前記アクセスを解析してアクセス元を特定するアクセス元特定手段と、
前記第２アドレス帳を検索し、前記アクセス元に関連付けて登録されているコンテンツデータを特定する第２コンテンツデータ特定手段と、
前記第２コンテンツデータ記憶手段より、前記第１コンテンツデータ記憶手段に記憶されている、前記第２コンテンツデータ特定手段で特定された前記コンテンツデータに対応するコンテンツデータを抽出する抽出手段とを備え、
前記コンテンツデータ再生手段は、前記第１通信手段において前記アクセスを受けたときに、前記抽出手段において抽出された前記コンテンツデータを再生する、情報通信システム。
【請求項１８】
前記第２情報通信機器は、
前記第１アドレス帳に登録されている前記コンテンツデータを特定する情報によって特定されるコンテンツデータが前記第２コンテンツデータ記憶手段に記憶されているか否かを調査する調査手段と、
前記第１アドレス帳に登録されている前記情報によって特定されるコンテンツデータが前記第２コンテンツデータ記憶手段に記憶されていない場合に、前記第２通信手段を介して、該当するコンテンツデータを前記第１情報通信機器から取得して前記第２コンテンツデータ記憶手段に記憶させる取得手段とをさらに備える、請求項１７に記載の情報通信システム。
【発明の詳細な説明】
【技術分野】
【０００１】
この発明は情報通信機器、情報処理プログラム、情報通信システム、およびコンテンツ再生方法に関し、特に、発信元を通知する機能を備える情報通信機器、情報処理プログラム、情報通信システム、およびコンテンツ再生方法に関する。
【背景技術】
【０００２】
近年、固定電話や携帯電話やパーソナルコンピュータなどの様々な情報通信機器が発達し、１人で複数の情報通信機器を利用する人も多くなった。
【０００３】
このような情報通信機器の中には、着信があったときに音を発する、振動するなどの方法によってユーザに着信を知らせる機能が搭載されているものが多い。最近の情報通信機器、特に携帯電話においては、アドレス帳機能に登録されている相手ごとに、いわゆる着メロ（登録商標）や着うた（登録商標）などといわれる着信を通知する音楽や、動画、振動パターンなどのコンテンツデータである通知パターンを割当てることが可能になっており、着信時には通知パターンによって発信元を推定することが可能になっている。
【０００４】
しかしながら、このように相手ごとに通知パターンを割当てたり、その割当てを更新したりする作業は非常に手間がかかる。さらに、１人で複数の情報通信機器を保有している場合にそれら全ての情報通信機器で通知パターンを割当てたり更新したりしようとすると、大変な労力が必要になる。特に、発信元を予測できるようにするためには複数の情報通信機器間で同一の通信相手等には同一の通知パターンを割当てて使用するのが好ましい。その場合には、各機器について相手ごとに通知パターンの割当てや更新を行なう必要があった。
【０００５】
これを解決するための１つの方法としては、たとえば、以下の特許文献１で開示されている、ファクシミリシステムのコードレス子機で電子メール情報を識別する技術を応用して、パーソナルコンピュータでメールを受信した場合、音楽等を設定している別の情報通信機器にその旨通知して、その情報通信機器で音楽等を鳴らす、などという方法が挙げられる。
【特許文献１】特開２０００−１１５４４０号公報
【発明の開示】
【発明が解決しようとする課題】
【０００６】
しかしながら、上記方法では、実際にはパーソナルコンピュータでメールを受信しているにも関わらず携帯電話等の他の情報通信機器が着信を通知するので、ユーザはいずれの装置を用いて受信すればよいかわかり難いという問題がある。
【０００７】
本発明はこのような問題に鑑みてなされたものであって、簡単な操作で、発信元を通知する通知パターンが設定できる情報通信機器、情報処理プログラム、情報通信システム、およびコンテンツ再生方法を提供することを目的とする。
【課題を解決するための手段】
【０００８】
上記目的を達成するために、本発明のある局面に従うと、情報通信機器は、コンテンツデータを記憶する第１コンテンツデータ記憶手段と、通信相手のアクセス情報と、通信相手からのアクセスに関連付けてコンテンツデータを特定する情報とを登録した第１アドレス帳を記憶する第１アドレス帳記憶手段と、他の情報通信機器と通信する通信手段と、上記通信手段を利用して、通信相手のアクセス情報と、通信相手からのアクセスに関連付けてコンテンツデータを特定する情報とを登録した第２アドレス帳を記憶する第２アドレス帳記憶手段を備えた他の情報通信機器と通信することにより、第１アドレス帳と第２アドレス帳とを同期させて、第１アドレス帳と第２アドレス帳との少なくとも一方を更新するよう制御する第１制御手段とを備える。
【０００９】
また、通信手段は、通信相手からのアクセスを受けた他の情報通信機器より、第１アドレス帳においてその通信相手からのアクセスに関連付けて登録されているコンテンツデータを特定する情報の検索を受付けることが好ましい。
【００１０】
本発明の他の局面に従うと、情報通信機器は、コンテンツデータを記憶する第１コンテンツデータ記憶手段と、通信相手のアクセス情報と、通信相手からのアクセスに関連付けてコンテンツデータを特定する情報とを登録した第１アドレス帳を記憶する第１アドレス帳記憶手段と、他の情報通信機器と通信する通信手段とを備え、通信手段は、通信相手のアクセス情報と、通信相手からのアクセスに関連付けてコンテンツデータを特定する情報とを登録可能な第２アドレス帳を記憶する第２アドレス帳記憶手段を備えた他の情報通信機器より、第１アドレス帳において上記通信相手からのアクセスに関連付けて登録されているコンテンツデータを特定する情報の検索を受付ける。
【００１１】
また、通信手段は、他の情報通信機器から上記コンテンツデータの要求を受付け、要求に応じてコンテンツデータを他の情報通信機器に対して送信することが好ましい。
【００１２】
また、情報通信機器は、コンテンツデータの複製が制限されている場合、通信手段でのコンテンツデータの送信を制限する第３制御手段をさらに備えることが好ましい。
【００１３】
さらに、第３制御手段は、通信手段で、コンテンツデータに替えて、コンテンツデータの複製が制限されていることを示す情報を送信するよう制御することが好ましい。
【００１４】
また、通信手段は、他の情報通信機器に対してコンテンツデータをストリーミング送信することがより好ましい。
【００１５】
さらに、コンテンツデータの複製が制限されている場合、通信手段は、コンテンツデータと共に、コンテンツデータの複製が制限されていることを示す情報を送信することがより好ましい。
【００１６】
また、情報通信機器は、第１アドレス帳において通信相手からのアクセスに関連付けて登録されているコンテンツデータを特定する情報を、予め定められたルールに従って更新するよう制御する第２制御手段をさらに備えることが好ましい。
【００１７】
なお、当該情報通信機器は、携帯可能な情報通信機器であることが好ましい。具体的には、携帯電話機、PHS（Personal Handyphone System）、PDA（Personal Digital Assistants）、電子手帳、および携帯型音楽再生機などの装置であることが好ましい。他の例としては、固定電話回線用電話機、ファクシミリ送受信機等も考えられる。
【００１８】
本発明のさらに他の局面に従うと、情報通信機器は、通信相手のアクセス情報、および通信相手からのアクセスに関連付けてコンテンツデータを特定する情報を登録した第１アドレス帳を記憶する第１情報通信機器と通信を行なう第２通信手段と、公衆通信網に接続するための第１通信手段と、コンテンツデータを記憶するコンテンツデータ記憶手段と、公衆通信網を介して受けたアクセスを解析してアクセス元を特定するアクセス元特定手段と、第２通信手段を介して第１アドレス帳を検索し、上記アクセス元に関連付けて登録されているコンテンツデータを特定する第１コンテンツデータ特定手段と、コンテンツデータ記憶手段より特定されたコンテンツデータを抽出する抽出手段と、第１通信手段においてアクセスを受けたときに上記コンテンツデータを再生するコンテンツデータ再生手段とを備える。
【００１９】
さらに、情報通信機器は、通信相手のアクセス情報と、通信相手からのアクセスに関連付けてコンテンツデータを特定する情報とを登録した第２アドレス帳を記憶する第２アドレス帳記憶手段と、第１アドレス帳と第２アドレス帳とを同期させて、第２アドレス帳を更新するよう制御する第１制御手段と、第２アドレス帳を検索してアクセス元に関連付けて登録されているコンテンツデータを特定する第２コンテンツデータ特定手段とをさらに備え、抽出手段は、コンテンツデータ記憶手段よりコンテンツデータを抽出することが好ましい。
【００２０】
または、情報通信機器は、第１アドレス帳に登録されているコンテンツデータがコンテンツデータ記憶手段に記憶されているか否かを調査する調査手段と、第１アドレス帳に登録されているコンテンツデータがコンテンツデータ記憶手段に記憶されていない場合に、第２通信手段を介して、該当するコンテンツデータを第１情報通信機器から取得する第１取得手段とをさらに備えることが好ましい。
【００２１】
または、情報通信機器は、第１アドレス帳に登録されているコンテンツデータがコンテンツデータ記憶手段に記憶されているか否かを調査する調査手段と、第１アドレス帳に登録されているコンテンツデータがコンテンツデータ記憶手段に記憶されていない場合に、公衆通信網を介して、該当するコンテンツデータをコンテンツサーバから取得する第２取得手段とをさらに備えることが好ましい。
【００２２】
または、情報通信機器は、第１アドレス帳に登録されているコンテンツデータがコンテンツデータ記憶手段に記憶されているか否かを調査する調査手段と、第１アドレス帳に登録されているコンテンツデータがコンテンツデータ記憶手段に記憶されていない場合に、第２通信手段を介して、該当するコンテンツデータを第１情報通信機器から取得する第１取得手段と、第１アドレス帳に登録されているコンテンツデータがコンテンツデータ記憶手段に記憶されていない場合に、公衆通信網を介して、該当するコンテンツデータをコンテンツサーバから取得する第２取得手段とをさらに備え、第２取得手段は、第１取得手段において第１情報通信機器より、そのコンテンツデータに替えて当該コンテンツデータが送信を許可されていないデータであることを示す情報を受信したときに、コンテンツサーバより当該コンテンツデータを取得することが好ましい。
【００２３】
本発明のさらに他の局面に従うと、情報通信機器は、通信相手のアクセス情報、および通信相手からのアクセスに関連付けてコンテンツデータを特定する情報を登録した第１アドレス帳を記憶する第１情報通信機器と通信を行なう第１通信手段と、公衆通信網に接続するための第２通信手段と、公衆通信網を介して受けたアクセスを解析してアクセス元を特定するアクセス元特定手段と、第１通信手段を介して第１アドレス帳を検索し、上記アクセス元に関連付けて登録されているコンテンツデータを特定する第１コンテンツデータ特定手段と、第１通信手段によって特定されたコンテンツデータを第１情報通信機器に要求する要求手段と、第１通信手段によってコンテンツデータを第１情報通信機器から受信する受信手段と、第２通信手段においてアクセスを受けたときに上記コンテンツデータを再生するコンテンツデータ再生手段とを備える。
【００２４】
本発明のさらに他の局面に従うと、情報通信機器は、通信相手のアクセス情報、および通信相手からのアクセスに関連付けてコンテンツデータを特定する情報を登録した第１アドレス帳を記憶する第１情報通信機器と通信を行なう第１通信手段と、通信相手のアクセス情報と、通信相手からのアクセスに関連付けてコンテンツデータを特定する情報とを登録した第２アドレス帳を記憶する第２アドレス帳記憶手段と、公衆通信網に接続するための第２通信手段と、公衆通信網を介して受けたアクセスを解析してアクセス元を特定するアクセス元特定手段と、第２アドレス帳を検索して上記アクセス元に関連付けて登録されているコンテンツデータを特定する第２コンテンツデータ特定手段と、第１通信手段によって特定されたコンテンツデータを第１情報通信機器に要求する要求手段と、第１通信手段によってコンテンツデータを第１情報通信機器から受信する受信手段と、第２通信手段においてアクセスを受けたときに上記コンテンツデータを再生するコンテンツデータ再生手段とを備える。
【００２５】
さらに、情報通信機器は、第１アドレス帳と第２アドレス帳とを同期させて、第２アドレス帳を更新するよう制御する第１制御手段を備えることが好ましい。
【００２６】
またさらに、受信手段は、第１情報通信機器より、上記コンテンツデータに替えて当該コンテンツデータが送信を許可されていないデータであることを示す情報を受信したときに、コンテンツサーバより上記コンテンツデータを受信することが好ましい。
【００２７】
また、コンテンツデータ再生手段は、公衆通信網を介して同時または連続して受けた複数のアクセスの各アクセス元に対応付けて登録されているコンテンツデータを、連続して再生することが好ましい。
【００２８】
または、コンテンツデータ再生手段は、公衆通信網を介して同時または連続して受けた複数のアクセスの各アクセス元に対応付けて登録されているコンテンツデータのうちの少なくとも１つを再生することが好ましい。
【００２９】
または、コンテンツデータ再生手段は、公衆通信網を介して同時または連続して受けた複数のアクセスの各アクセス元に対応付けて登録されているコンテンツデータについて、各コンテンツデータの少なくとも一部を連続して再生することが好ましい。
【００３０】
なお、当該情報通信機器は特定の場所に固定して使用される情報通信機器であることが好ましく、具体的には、パーソナルコンピュータ、テレビジョン受像機、固定電話回線用電話機、ファクシミリ送受信機、ワークステーション、ホームサーバ、およびブロードバンドルータなどの装置であることが好ましい。他の例としては、ＰＤＡ、音楽再生機等も考えられる。
【００３１】
本発明のさらに他の局面に従うと、情報処理プログラムはコンピュータに処理を実行させるプログラムであって、コンピュータは、コンテンツデータを記憶する第１記憶領域と、通信相手のアクセス情報と、通信相手からのアクセスに関連付けてコンテンツデータを特定する情報とを登録した第１アドレス帳を記憶する第２記憶領域とを含む記憶装置を含み、通信相手のアクセス情報を登録した第２アドレス帳を記憶する情報通信機器と通信を行ない、第１アドレス帳と第２アドレス帳とを同期させて、第１アドレス帳と第２アドレス帳との少なくとも一方を更新するよう制御するステップを実行させる。
【００３２】
さらに、情報処理プログラムは、情報通信機器と通信を行ない、通信相手からのアクセスを受けた上記情報通信機器より、第１アドレス帳においてその通信相手からのアクセスに関連付けて登録されているコンテンツデータを特定する情報の検索を受付けるステップを実行させることが好ましい。
【００３３】
本発明のさらに他の局面に従うと、情報処理プログラムはコンピュータに処理を実行させるプログラムであって、コンピュータは、コンテンツデータを記憶する第１記憶領域と、通信相手のアクセス情報と、通信相手からのアクセスに関連付けて上記コンテンツデータを特定する情報とを登録した第１アドレス帳を記憶する第２記憶領域とを含む記憶装置を含み、コンピュータは、通信相手のアクセス情報を登録した第２アドレス帳を記憶する情報通信機器と通信を行ない、通信相手からのアクセスを受けた情報通信機器より、第１アドレス帳において上記通信相手からのアクセスに関連付けて登録されているコンテンツデータを特定する情報の検索を受付けるステップを実行させる。
【００３４】
さらに、情報処理プログラムは、情報通信機器からコンテンツデータの要求を受付けるステップと、その要求に応じて上記コンテンツデータを情報通信機器に対して送信するステップとを実行させることが好ましい。
【００３５】
また、第２アドレス帳には上記通信相手からのアクセスに関連付けてコンテンツデータを特定する情報とが登録され、情報処理プログラムは、第１アドレス帳と第２アドレス帳とを同期させて、第１アドレス帳と第２アドレス帳との少なくとも一方を更新するステップをさらに実行させることが好ましい。
【００３６】
また、上記コンテンツデータの複製が制限されている場合、情報処理プログラムは、当該コンテンツデータの送信を制限する制御ステップをさらに実行させることが好ましい。
【００３７】
さらに、制御ステップにおいては、上記コンテンツデータに替えて、当該コンテンツデータの複製が制限されていることを示す情報を送信するよう制御することが好ましい。
【００３８】
また、情報処理プログラムは、第１アドレス帳において上記通信相手からのアクセスに関連付けて登録されているコンテンツデータを特定する情報を、予め定められたルールに従って更新するよう制御するステップをさらに実行させることが好ましい。
【００３９】
本発明のさらに他の局面に従うと、情報処理プログラムはコンピュータに処理を実行させるプログラムであって、コンピュータはコンテンツデータを記憶するコンテンツデータ記憶手段を含み、公衆通信網を介して他の装置からのアクセスを受けるステップと、アクセスを解析してアクセス元を特定するステップと、通信相手のアクセス情報、および通信相手からのアクセスに関連付けてコンテンツデータを特定する情報を登録した第１アドレス帳を記憶する情報通信機器へアクセスして、上記アクセス元に関連付けて登録されているコンテンツデータを特定する第１特定ステップと、コンテンツデータ記憶手段より第１特定ステップで特定されたコンテンツデータを抽出する抽出ステップと、抽出されたコンテンツデータを再生する再生ステップとを実行させる。
【００４０】
さらに、上記コンピュータは、通信相手のアクセス情報と、通信相手からのアクセスに関連付けてコンテンツデータを特定する情報とを登録した第２アドレス帳を記憶する第２アドレス帳記憶手段を含み、情報処理プログラムは、第１アドレス帳と第２アドレス帳とを同期させて、第２アドレス帳を更新するよう制御するステップと、第２アドレス帳を検索して上記アクセス元に関連付けて登録されているコンテンツデータを特定する第２特定ステップとをさらに実行させ、抽出ステップでは、コンテンツデータ記憶手段より第２特定ステップで特定されたコンテンツデータを抽出することが好ましい。
【００４１】
または、情報処理プログラムは、第１アドレス帳に登録されているコンテンツデータがコンテンツデータ記憶手段に記憶されているか否かを調査するステップと、第１アドレス帳に登録されているコンテンツデータがコンテンツデータ記憶手段に記憶されていない場合に、該当するコンテンツデータを情報通信機器から取得するステップとをさらに実行させることが好ましい。
【００４２】
または、情報処理プログラムは、第１アドレス帳に登録されているコンテンツデータがコンテンツデータ記憶手段に記憶されているか否かを調査するステップと、第１アドレス帳に登録されているコンテンツデータがコンテンツデータ記憶手段に記憶されていない場合に、公衆通信網を介して、該当するコンテンツデータをコンテンツサーバから取得するステップとをさらに実行させることが好ましい。
【００４３】
または、情報処理プログラムは、第１アドレス帳に登録されているコンテンツデータがコンテンツデータ記憶手段に記憶されているか否かを調査するステップと、第１アドレス帳に登録されているコンテンツデータがコンテンツデータ記憶手段に記憶されていない場合に、該当するコンテンツデータを情報通信機器から取得する第１取得ステップと、第１アドレス帳に登録されているコンテンツデータがコンテンツデータ記憶手段に記憶されていない場合に、公衆通信網を介して、該当するコンテンツデータをコンテンツサーバから取得する第２取得ステップとをさらに備え、第２取得ステップにおいて、第１取得ステップにおいて情報通信機器より、上記コンテンツデータに替えて当該コンテンツデータが送信を許可されていないデータであることを示す情報を受信したときに、コンテンツサーバより上記コンテンツデータを取得することが好ましい。
【００４４】
本発明のさらに他の局面に従うと、情報処理プログラムはコンピュータに処理を実行させるプログラムであって、公衆通信網を介して他の装置からのアクセスを受けるステップと、アクセスを解析してアクセス元を特定するステップと、通信相手のアクセス情報、および通信相手からのアクセスに関連付けてコンテンツデータを特定する情報を登録した第１アドレス帳を記憶する第１情報通信機器にアクセスして第１アドレス帳を検索し、上記アクセス元に関連付けて登録されているコンテンツデータを特定するステップと、特定されたコンテンツデータを情報通信機器に要求するステップと、コンテンツデータを情報通信機器から受信する受信ステップと、受信したコンテンツデータを再生する再生ステップとを実行させる。
【００４５】
本発明のさらに他の局面に従うと、情報処理プログラムはコンピュータに処理を実行させるプログラムであって、コンピュータは、通信相手のアクセス情報と、通信相手からのアクセスに関連付けてコンテンツデータを特定する情報とを登録した第２アドレス帳を記憶する第２アドレス帳記憶手段を含み、公衆通信網を介して他の装置からのアクセスを受けるステップと、アクセスを解析してアクセス元を特定するステップと、第２アドレス帳を検索して上記アクセス元に関連付けて登録されているコンテンツデータを特定するステップと、特定されたコンテンツデータを情報通信機器に要求するステップと、コンテンツデータを情報通信機器から受信する受信ステップと、受信したコンテンツデータを再生する再生ステップとを実行させる。
【００４６】
さらに、情報処理プログラムは、第１アドレス帳と第２アドレス帳とを同期させて、第２アドレス帳を更新するよう制御するステップをさらに実行させることが好ましい。
【００４７】
さらに、受信ステップにおいて、情報通信機器より、上記コンテンツデータに替えて当該コンテンツデータが送信を許可されていないデータであることを示す情報を受信したときに、コンテンツサーバより上記コンテンツデータを受信することが好ましい。
【００４８】
また、再生ステップにおいては、公衆通信網を介して同時または連続して受けた複数のアクセスの各アクセス元に対応付けて登録されているコンテンツデータを、連続して再生することが好ましい。
【００４９】
または、再生ステップにおいては、公衆通信網を介して同時または連続して受けた複数のアクセスの各アクセス元に対応付けて登録されているコンテンツデータのうちの少なくとも１つを再生することが好ましい。
【００５０】
または、再生ステップにおいては、公衆通信網を介して同時または連続して受けた複数のアクセスの各アクセス元に対応付けて登録されているコンテンツデータについて、各コンテンツデータの少なくとも一部を連続して再生することが好ましい。
【００５１】
本発明のさらに他の局面に従うと、情報通信システムは第１情報通信機器と第２情報通信機器とを含む情報通信システムであって、第１情報通信機器は、コンテンツデータを記憶する第１コンテンツデータ記憶手段と、通信相手のアクセス情報と、通信相手からのアクセスに関連付けてコンテンツデータを特定する情報とを登録した第１アドレス帳を記憶する第１アドレス帳記憶手段と、第２通信機器と通信する通信手段とを備え、第２情報通信機器は、コンテンツデータを記憶する第２コンテンツデータ記憶手段と、公衆通信網に接続するための第１通信手段と、コンテンツデータを再生するコンテンツデータ再生手段と、第１情報通信機器と通信を行なう第２通信手段と、公衆通信網を介してアクセスを受けると、上記アクセスを解析してアクセス元を特定するアクセス元特定手段と、第２通信手段を介して第１アドレス帳を検索し、上記アクセス元に関連付けて登録されているコンテンツデータを特定する第１コンテンツデータ特定手段と、第２コンテンツデータ記憶手段より、第１コンテンツデータ記憶手段に記憶されている、第１コンテンツデータ特定手段で特定されたコンテンツデータに対応するコンテンツデータを抽出する抽出手段とを備え、コンテンツデータ再生手段は、第１通信手段において上記アクセスを受けたときに、抽出手段において抽出されたコンテンツデータを再生する。
【００５２】
本発明のさらに他の局面に従うと、情報通信システムは第１情報通信機器と第２情報通信機器とを含む情報通信システムであって、第１情報通信機器は、コンテンツデータを記憶する第１コンテンツデータ記憶手段と、第２通信機器と通信する通信手段とを備え、第２情報通信機器は、通信相手のアクセス情報と、通信相手からのアクセスに関連付けて第１コンテンツデータ記憶手段に記憶されているコンテンツデータを特定する情報とを登録した第２アドレス帳を記憶する第２アドレス帳記憶手段と、公衆通信網に接続するための第１通信手段と、コンテンツデータを再生するコンテンツデータ再生手段と、第１情報通信機器と通信を行なう第２通信手段と、公衆通信網を介してアクセスを受けると、上記アクセスを解析してアクセス元を特定するアクセス元特定手段と、第２アドレス帳を検索し、上記アクセス元に関連付けて登録されているコンテンツデータを特定する第２コンテンツデータ特定手段と、第１情報通信機器より上記コンテンツデータを取得する取得手段とを備え、コンテンツデータ再生手段は、第１通信手段において上記アクセスを受けたときに、取得手段において取得されたコンテンツデータを再生する。
【００５３】
本発明のさらに他の局面に従うと、情報通信システムは第１情報通信機器と第２情報通信機器とを含む情報通信システムであって、第１情報通信機器は、コンテンツデータを記憶する第１コンテンツデータ記憶手段と、通信相手のアクセス情報と、通信相手からのアクセスに関連付けてコンテンツデータを特定する情報とを登録した第１アドレス帳を記憶する第１アドレス帳記憶手段と、第２通信機器と通信する通信手段とを備え、第２情報通信機器は、コンテンツデータを記憶する第２コンテンツデータ記憶手段と、通信相手のアクセス情報と、通信相手からのアクセスに関連付けて第１コンテンツデータ記憶手段に記憶されているコンテンツデータを特定する情報とを登録した第２アドレス帳を記憶する第２アドレス帳記憶手段と、第１アドレス帳と第２アドレス帳とを同期させて、第２アドレス帳を更新するよう制御する制御手段と、公衆通信網に接続するための第１通信手段と、コンテンツデータを再生するコンテンツデータ再生手段と、第１情報通信機器と通信を行なう第２通信手段と、公衆通信網を介してアクセスを受けると、上記アクセスを解析してアクセス元を特定するアクセス元特定手段と、第２アドレス帳を検索し、上記アクセス元に関連付けて登録されているコンテンツデータを特定する第２コンテンツデータ特定手段と、第２コンテンツデータ記憶手段より、第１コンテンツデータ記憶手段に記憶されている、第２コンテンツデータ特定手段で特定されたコンテンツデータに対応するコンテンツデータを抽出する抽出手段とを備え、コンテンツデータ再生手段は、第１通信手段において上記アクセスを受けたときに、抽出手段において抽出されたコンテンツデータを再生する。
【００５４】
さらに、第２情報通信機器は、第１アドレス帳に登録されているコンテンツデータが第２コンテンツデータ記憶手段に記憶されているか否かを調査する調査手段と、第１アドレス帳に登録されているコンテンツデータが第２コンテンツデータ記憶手段に記憶されていない場合に、第２通信手段を介して、該当するコンテンツデータを第１情報通信機器から取得して第２コンテンツデータ記憶手段に記憶させる取得手段とをさらに備えることが好ましい。
【００５５】
また、取得手段は、第１情報通信機器より、上記コンテンツデータに替えて当該コンテンツデータが送信を許可されていないデータであることを示す情報を取得したときに、コンテンツサーバより上記コンテンツデータを取得することが好ましい。
【００５６】
本発明のさらに他の局面に従うと、コンテンツ再生方法は、第１情報通信機器と第２情報通信機器とを含む情報通信システムにおけるコンテンツ再生方法であって、第１情報通信機器は、コンテンツデータを記憶する第１コンテンツデータ記憶手段と、通信相手のアクセス情報と、通信相手からのアクセスに関連付けてコンテンツデータを特定する情報とを登録した第１アドレス帳を記憶する第１アドレス帳記憶手段とを含み、第２情報通信機器において公衆通信網を介してアクセスを受けると、上記アクセスを解析してアクセス元を特定するステップと、第２情報通信機器において、第１アドレス帳を検索し、上記アクセス元に関連付けて登録されているコンテンツデータを特定するステップと、第２情報通信機器において、第１情報通信機器より上記コンテンツデータを取得する取得ステップと、第２情報通信機器において、上記アクセスを受けたときに、取得ステップにおいて抽出されたコンテンツデータを再生するステップとを備える。
【００５７】
本発明のさらに他の局面に従うと、コンテンツ再生方法は、第１情報通信機器と第２情報通信機器とを含む情報通信システムにおけるコンテンツ再生方法であって、第１情報通信機器は、コンテンツデータを記憶する第１コンテンツデータ記憶手段と、通信相手のアクセス情報と、通信相手からのアクセスに関連付けてコンテンツデータを特定する情報とを登録した第１アドレス帳を記憶する第１アドレス帳記憶手段とを含み、第２情報通信機器は、コンテンツデータを記憶する第２コンテンツデータ記憶手段を含み、第２情報通信機器において公衆通信網を介してアクセスを受けると、上記アクセスを解析してアクセス元を特定するステップと、第２情報通信機器において、第１アドレス帳を検索し、上記アクセス元に関連付けて登録されているコンテンツデータを特定する特定ステップと、第２情報通信機器において、第２コンテンツデータ記憶手段より、第１コンテンツデータ記憶手段に記憶されている、記特定ステップで特定されたコンテンツデータに対応するコンテンツデータを抽出する抽出ステップと、第２情報通信機器において、アクセスを受けたときに、抽出ステップにおいて抽出された上記コンテンツデータを再生するステップとを備える。
【００５８】
本発明のさらに他の局面に従うと、コンテンツ再生方法は、第１情報通信機器と第２情報通信機器とを含む情報通信システムにおけるコンテンツ再生方法であって、第１情報通信機器は、コンテンツデータを記憶する第１コンテンツデータ記憶手段を含み、第２情報通信機器は、通信相手のアクセス情報と、通信相手からのアクセスに関連付けて前１コンテンツデータ記憶手段に記憶されているコンテンツデータを特定する情報とを登録した第２アドレス帳を記憶する第２アドレス帳記憶手段を含み、第２情報通信機器において公衆通信網を介してアクセスを受けると、アクセスを解析してアクセス元を特定するステップと、第２情報通信機器において、第２アドレス帳を検索し、上記アクセス元に関連付けて登録されているコンテンツデータを特定するステップと、第２情報通信機器において、第１情報通信機器より上記コンテンツデータを取得する取得ステップと、第２情報通信機器において、前記アクセスを受けたときに、取得ステップにおいて取得されたコンテンツデータを再生するステップとを備える。
【００５９】
本発明のさらに他の局面に従うと、コンテンツ再生方法は、第１情報通信機器と第２情報通信機器とを含む情報通信システムにおけるコンテンツ再生方法であって、第１情報通信機器は、コンテンツデータを記憶する第１コンテンツデータ記憶手段と、通信相手のアクセス情報と、通信相手からのアクセスに関連付けてコンテンツデータを特定する情報とを登録した第１アドレス帳を記憶する第１アドレス帳記憶手段を含み、第２情報通信機器は、コンテンツデータを記憶する第２コンテンツデータ記憶手段と、通信相手のアクセス情報と、通信相手からのアクセスに関連付けて第１コンテンツデータ記憶手段に記憶されているコンテンツデータを特定する情報とを登録した第２アドレス帳を記憶する第２アドレス帳記憶手段とを含み、第２アドレス帳は第１アドレス帳と同期して更新され、第２情報通信機器において公衆通信網を介してアクセスを受けると、上記アクセスを解析してアクセス元を特定するステップと、第２情報通信機器において、第２アドレス帳を検索し、上記アクセス元に関連付けて登録されているコンテンツデータを特定する特定ステップと、第２情報通信機器において、第２コンテンツデータ記憶手段より、第１コンテンツデータ記憶手段に記憶されている、特定ステップで特定されたコンテンツデータに対応するコンテンツデータを抽出する抽出ステップと、第２情報通信機器においてアクセスを受けたときに、抽出ステップにおいて抽出されたコンテンツデータを再生するステップとを備える。
【発明の効果】
【００６０】
本発明にかかる情報通信システムにおいては、様々な情報通信機器の間でアドレス帳情報が共有されて、ある１つの情報通信機器において着信音等の所定の通知パターンが所定の通信相手に対して割当てられておれば、他の情報通信機器でも同一の設定を利用してその通信相手からの着信を通知することができる。
【００６１】
そのため、たとえば携帯電話で着信音等のコンテンツをダウンロードしてアドレス帳機能に登録されている相手先に対して割当てると、その相手先から固定電話に電話がかかってきた場合やパソコンでその相手先からのメールを受信した場合などその相手先からアクセスを受けた場合に、その相手先に対して割当てられているコンテンツを固定電話やパーソナルコンピュータなどアクセスを受けた機器で再生できる。そのため、再生されたコンテンツよりアクセス元が誰であるか容易に推測できる。
【００６２】
さらに、着信音等のアドレス帳への割当てを、たとえば携帯電話で行なえば他の機器でも同じコンテンツが再生されることになるため、それぞれの機器ごとに着信音等のコンテンツを割当てる手間を軽減できる。特に、たとえば携帯電話に自身のコンテンツ割当てを自動更新する機能が搭載されていれば、他の機器で再生されるコンテンツの割当ても連鎖的に更新されることになり、コンテンツ割当てにかかる手間を大幅に軽減できる。
【００６３】
また、購入した着信音等のコンテンツを利用する機会が増えるため、今まで以上に情報通信機器においてコンテンツを楽しむことができるようになる。
【発明を実施するための最良の形態】
【００６４】
以下に、図面を参照しつつ、本発明の実施の形態について説明する。以下の説明では、同一の部品および構成要素には同一の符号を付してある。それらの名称および機能も同じである。本実施の形態においては、本発明にかかる情報通信機器が携帯電話機およびパーソナルコンピュータであるものとする。
【００６５】
［第１の実施の形態］
図１は、本実施の形態にかかる情報通信システムの装置構成の具体例を示す図である。以下、第１の実施例を説明する。図１を参照して、本実施の形態にかかる情報通信システムは、情報通信機器としての携帯電話１とパーソナルコンピュータ（以下、ＰＣ）２とを含み、これらはシリアルケーブル３で接続される。また、ＰＣ２はインターネット等の公衆回線４に接続される。
【００６６】
携帯電話１とＰＣ２との接続はシリアルケーブルを利用した接続に限定されず、たとえばＵＳＢ（Universal Serial Bus）を用いた接続や、ＩＥＥＥ１３９４（the Institute of Electrical and Electronic Engineers, Inc. 1394）の規格による接続や、イーサネット（登録商標）等のケーブルによる接続であってもよい。また、ＰＣ２がＰＣカード用のスロットを備える場合、携帯電話１がＰＣ２に直接接続されてもよい。また、有線の接続に限定されず無線通信による接続でもよく、たとえば、Ｂｌｕｅｔｏｏｔｈ（登録商標）や、ＩｒＤＡ（Infrared Data Association）の規格による接続を利用した、電波や赤外線を用いた近距離通信接続でもよい。また、通信方式に有線通信と無線通信との両方が利用されていてもよい。また、携帯電話１とＰＣ２とは直接通信を行なわず、家庭内ＬＡＮ（Local Area Network）などのネットワークを介して通信を行なうものも上記接続に含まれるものとする。
【００６７】
図２および図３は、携帯電話１およびＰＣ２のハードウェア構成の具体例を示すブロック図である。
【００６８】
図２を参照して、携帯電話１は、ＣＰＵ（Central Processing Unit）１０１、記憶装置１０２、プッシュボタン１０３、ＬＣＤ（Liquid Crystal Display）１０４、通信ネットワークへ接続するためのアンテナ１０５、およびＰＣ２と接続するための端子１０６を含んで構成される。
【００６９】
また、図３を参照して、ＰＣ２は、ＣＰＵ２０１、記憶装置２０２、キーボード２０３、ポインティングデバイス２０４、ＬＣＤ２０５、携帯電話１と接続するための端子２０６、インターネットに接続するための端子２０７、およびスピーカ２０８を含んで構成される。
【００７０】
携帯電話１の記憶装置１０２には、ＣＰＵ１０１で実行されるプログラムや、アドレス帳データや、着信通知手段における通知パターンを実現するためのコンテンツデータが記憶されている。
【００７１】
着信通知手段における通知パターンを実現するためのコンテンツデータとしては、着信通知手段が音声通知であって通知パターンが着信音である本実施の形態の場合、着信音を再生するための音声データが該当する。
【００７２】
アドレス帳データは、通信相手先ごとに登録される、１つ以上の相手先データを含んで構成されるデータであって、相手先データには、その通信相手先へのアクセス情報と、その通信相手からのアクセスを受けたことを通知する着信通知手段における通知パターンを特定する情報とが含まれる。
【００７３】
図４はアドレス帳に登録されている相手先データの具体例を示す図である。図４を参照して、相手先データには、具体的に、通信相手Ａに対して、アクセス情報として、２種類の固定電話の番号、ファクシミリ番号、携帯電話の電話番号、３種類のメールアドレス、およびメッセンジャサービスのアドレスが含まれ、着信通知手段として音声通知が採用されている場合、通知パターンである着信音として楽曲Ａを特定する情報（楽曲のタイトル等の識別情報または記憶されている記憶装置１０２上のアドレス）が含まれている。
【００７４】
同様に、通信相手Ｂに対して、アクセス情報として、２種類の固定電話の番号、ファクシミリ番号、携帯電話の電話番号、および２種類のメールアドレスが含まれ、通知パターンである着信音として楽曲Ｂを特定する情報が含まれている。
【００７５】
また、携帯電話１には、予め定められたルールに従ってアドレス帳データのうちの通知パターンを特定する情報を自動更新する機能を備えることが好ましい。予め定められたルールとは、たとえば、「通信相手Ａに歌手Ｂが実演する音楽を新曲が出たときに自動的に割付ける」「「会社」グループに分類される通信相手には、特定ジャンルの音楽を割付ける」「手動で割付けている通信相手に対しては自動更新しない」「ランダムに割付ける」などが挙げられる。
【００７６】
自動更新の方法としては、たとえば、ユーザが新曲をダウンロードした時に、予め定められたルールに従って新曲の割当てが自動的に行なわれる、ユーザが割当てに関するルールを変更すると、それに基づいて割当ても変更される、ユーザが自動割当を指示したときに予め定められているルールに従って、その時に録音されている音楽が自動的に割当てられる、等が考えられる。
【００７７】
図５は、本実施の形態にかかる処理を実現するためのＰＣ２の機能構成の具体例を示すブロック図である。
【００７８】
図５を参照して、ＰＣ２において本実施の形態にかかる処理を実現するための機能は、アクセス元特定部２２１、通知パターン特定部２２３、通知パターン要求部２２５、通知パターン受信部２２７、および通知パターン再生部２２９を含んで構成される。これらの機能は、ＣＰＵ２０１が記憶装置２０２に記憶されているプログラムを読込んで実行することによって主にＣＰＵ２０１に形成される機能であるが、その一部が図３に示されるハードウェア構成によって実現されてもよい。
【００７９】
アクセス元特定部２２１は、インターネット等の公衆回線４によって送信されて端子２０６を介して入力されたメールを解析してアクセス元を示すメールアドレスを特定し、その情報を通知パターン特定部２３に入力する。複数のメールを受信した場合は受信した各メールのメールアドレスを認識し、アクセス元を特定する。
【００８０】
通知パターン特定部２２３は、シリアルケーブル３を介して携帯電話１にアクセスし、アドレス帳データを参照してそのメールアドレスをアクセス情報としてもつ相手先データを抽出する。そして、その相手先に対応付けられている通知パターンを特定して、通知パターン要求部２２５に入力する。なお、ＰＣ２が図４に示されたようなアドレス帳データを記憶している場合には、自身に記憶されているアドレス帳データにアクセスして通知パターンを特定してもよい。
【００８１】
通知パターン特定部２２３において携帯電話１のアドレス帳データを参照するために、携帯電話１の記憶装置１０２がＰＣ２の仮想的なドライブとしてＰＣ２に割当てられる（マッピングされている）ことが好ましい。または、ＰＣ２のＣＰＵ２０１において専用のソフトウェアが実行されることによって携帯電話１にアクセスしてアドレス帳データが参照されてもよい。または、携帯電話１およびＰＣ２のいずれかがＨＴＴＰ（Hypertext Transfer Protocol）またはＦＴＰ（File Transfer Protocol）で規定されるサーバとなり、他方がクライアントとなってアドレス帳データが参照されてもよい。
【００８２】
なお、携帯電話１およびＰＣ２の少なくとも一方には認証部が含まれていて、通知パターン特定部２２３においてアドレス帳データを参照する際、相手の機器を認証するようになっていることが好ましい。特にアドレス帳データは個人情報に当たるため、データを参照される側の機器は、予め登録されている機器以外の機器に対しては、データを送信しないような実装が好ましい。
【００８３】
また、アドレス帳データは、暗号化された形で携帯電話１に記憶しておくか、あるいは、データ送受信時に暗号化することにより、通知パターン特定部２２３は、暗号化された状態でアドレス帳データを参照することが好ましい。携帯電話１とＰＣ２との接続が無線接続であったり公衆回線を介していたりして、盗聴される危険性があるときは特に有効である。
【００８４】
通知パターン要求部２２５は、その通知パターンである着信音の音声データを携帯電話１に対して要求し、通知パターン受信部２２７が携帯電話１から音声データを受信する。通知パターン受信部２２７は音声データをストリーミング受信しながら通知パターン再生部２２９に渡し、通知パターン再生部２２９においてスピーカ２０８で着信音として再生させるための処理がなされる。または、通知パターン受信部２２７は受信した音声データを記憶装置２０２に記憶させ、通知パターン再生部２２９が記憶装置２０２から音声データを読出してスピーカ２０８で着信音として再生させるための処理を行なってもよい。
【００８５】
図６は、本実施の形態にかかるＰＣ２で実行される処理の流れを示すフローチャートである。図６のフローチャートに示される処理は、ＣＰＵ２０１が記憶装置２０２に記憶されているプログラムを読込んで実行し、図５に示される各部を制御することで実現される。
【００８６】
図６を参照して、始めに、インターネット等の公衆回線４を介してメールが着信したことが検出されると（ステップＳ１００２でＹＥＳ）、アクセス元特定部２２１において、端子２０６を介して入力されたメールが解析されてアクセス元を示すメールアドレスが認識され、アクセス元が特定される（ステップＳ１００３）。なお、ＰＣでメールを受信する場合、一般的には公衆回線上に設置されているメールサーバに蓄積されたメールを所定のタイミングで読出すので、一度の受信動作で複数のメールを受信することがある。その場合には、ステップＳ１００３において受信された各メールのアドレスが認識される。
【００８７】
また、ＰＣ２にも図４に示されたようなアドレス帳データが記憶されていてもよい。その場合には、ＰＣ２は携帯電話１を接続した際に両者のアドレス帳を予め同期させる機能を備えて、両者のアドレス帳データが一致するように少なくとも一方を更新することが好ましい。また、携帯電話１も両者のアドレス帳を予め同期させる機能を備えて、アドレス帳の修正が携帯電話１とＰＣ２とのいずれにおいてなされても、両者のアドレス帳データが一致するように同期させることが好ましい。
【００８８】
次に、通知パターン特定部２２３において、携帯電話１に記憶されているアドレス帳データが参照されて、ステップＳ１００３で認識されたメールアドレスに対応した通話相手に対して設定されている着信音が特定される（ステップＳ１００４）。たとえば、上記ステップＳ１００３において、受信されたメールの送信元のアドレスが「AAA@abc.jp」であると認識された場合、ステップＳ１００４では、図４に示されるアドレス帳データについてそのアドレスが検索されて、「通話相手Ａ」の相手先データが抽出される。そして、「通話相手Ａ」に対して通知パターンを特定する情報として「楽曲Ａ」が設定されていることが特定される。なお、ステップＳ１００３で認識されたメールアドレスがアドレス帳に登録されていないメールアドレスであった場合は、ＰＣ２での設定に従って、着信音を鳴らさないようにしてもよいし、デフォルトで設定されている着信音を鳴らすようにしてもよい。
【００８９】
なお、上述のように、ＰＣ２にも図４に示されたようなアドレス帳データが記憶されてよく、その場合、上記ステップＳ１００３，Ｓ１００４では、自身の記憶装置２０２に記憶されているアドレス帳データが参照されてアクセス元が特定され、そのアクセス元に対応した着信音が特定される。
【００９０】
次に、通知パターン要求部２２５において、携帯電話１に対して、上記ステップＳ１０
０４で確認された上記メールアドレスに対して割当てられている着信音データが要求される（ステップＳ１００５）。要求を受けた携帯電話１からＰＣ２に対して当該着信音データが送信される。
【００９１】
なお、携帯電話１からＰＣ２への音声データの送信方法は、メール着信後すぐに着信音を再生できるよう、ストリーミングが好ましい。これは、特に、送信対象の音声データがいわゆる「着うた（登録商標）」のように容量が大きなデータである場合に有効である。しかしながら、送信方法はストリーミングに限定されず、いわゆる「着メロ（登録商標）」のように容量が小さなデータの場合には、メロディをファイルとして送信する送信方法であってもよい。また、上記ストリーミング送信には、ＨＴＴＰ等で規定されるいわゆる擬似ストリーミング送信も含まれ得る。
【００９２】
なお、ストリーミング送信以外の方法で音声データを携帯電話１からＰＣ２へ送信する方法としては、携帯電話１およびＰＣ２のいずれかがＨＴＴＰまたはＦＴＰで規定されるサーバとなり、他方がクライアントとなって音声データが送信される方法であってもよい。または、携帯電話１の記憶装置１０２がＰＣ２の仮想的なドライブとしてＰＣ２に割当てられ（マッピングされ）、ＰＣ２が携帯電話１の記憶装置１０２を検索して取得する方法であってもよい。または、ＰＣ２のＣＰＵ２０１において専用のソフトウェアが実行されることによって音声データが携帯電話１からＰＣ２へ送信されてもよい。
【００９３】
ＰＣ２では通知パターン受信部２２７において当該着信音の音声データがストリーミング受信されながら、通知パターン再生部２２９においてスピーカ２０８で着信音として再生するための処理がなされる（ステップＳ１００６）。たとえば、上記具体例によると「AAA@abc.jp」からのメールを受信した場合にはステップＳ１００５で「楽曲Ａ」が携帯電話１に対して要求される。要求を受けた携帯電話１は、「楽曲Ａ」の音声データをＰＣ２に対してストリーミング送信する。ステップＳ１００６では、通知パターン再生部２２９で「楽曲Ａ」の音声データをストリーミング受信しながら、通知パターン再生部２２９で再生のための処理を実行する。このため、メール着信後すぐに着信音が再生される。
【００９４】
言うまでもなく、ＰＣ２の記憶装置２０２に音声データが記憶されていてもよく、その場合には、上記ステップＳ１００５，Ｓ１００６では自身の記憶装置２０２から該当する音声データを読出しながら再生する処理がなされる。
【００９５】
また、上述のようにＰＣ２の記憶装置２０２にアドレス帳データが記憶されていてもよいが、そのアドレス帳データにおいては通信相手に対応した、携帯電話１の記憶装置１０２に記憶されている通知パターンが登録されていてもよい。その場合、上記ステップ１００３，Ｓ１００４で自身の記憶装置２０２に記憶されているアドレス帳データが参照されて対応する着信音が特定された後、上記ステップＳ１００５で該当する音声データが携帯電話１に対して要求される。さらに、ＰＣ２の記憶装置２０２に音声データが記憶されている場合、上記ステップＳ１００５，Ｓ１００６では、ＰＣ２の記憶装置２０２に記憶されている音声データの中から、ステップＳ１００４で特定された携帯電話１の記憶装置１０２に記憶されている音声データと同等の音声データが読出されて再生されてもよい。ここで、同等とは、携帯電話１の記憶装置１０２に記憶されている音声データとまったく同一のものでなくてもよく、所定の属性が同じである程度の音声データを指す。たとえば、楽曲のタイトルが同一で、その他、アレンジや演奏者などが異なる音声データであったり、データサイズが異なる音声データであったりしてもよい。また、ＰＣ２の記憶装置２０２にアドレス帳データにおいては通信相手に対応した、ＰＣ２の記憶装置２０２に記憶されている通知パターンが登録されていてもよい。
【００９６】
さらに、上述のように、一度のメール受信動作で、複数のメールを受信する場合、上記ステップＳ１００５，Ｓ１００６においてはどのメールに対応した処理を行なうかは本発明において限定されない。たとえば、ステップＳ１００５で最初に受信したメールに対応した着信音の音声データを携帯電話１に要求してステップＳ１００６でその着信音を再生してもよいし、予めアドレス帳に優先度が設定されていて、ステップＳ１００５で最も優先度が高い通話相手の着信音の音声データを携帯電話１に要求してステップＳ１００６でその着信音だけを再生してもよいし、ステップＳ１００５で受信した各メールに対応した着信音の音声データを携帯電話１に要求してステップＳ１００６でその着信音を受信順に連続して再生してもよい。また、上記優先度は着信音に対して設定されていてもよい。また、連続して複数の着信音を再生する場合には、それら着信音の一部（たとえば冒頭部分や予め設定されている部分）を切出して再生してもよい。
【００９７】
［変形例］
なお、第１の実施の形態の変形例として、図５に示されたＰＣ２の機能の一部が携帯電話１に備えられていてもよい。たとえば、図７に示されるように、通知パターン特定部２２３および通知パターン要求部２２５が携帯電話１に備えられていてもよい。この場合、情報通信システム全体において上記処理が実行される。つまり、ＰＣ２はアクセス元特定部２２１において特定された送信元のアドレスを携帯電話１に送信し、携帯電話１は通知パターン特定部２２３においてアドレスを受信してそのアドレスに対応する着信音を特定し、通知パターン要求部２２５においてその着信音を検索してＰＣ２に対して送信する。
【００９８】
本実施の形態にかかるＰＣ２または情報通信システムにおいて上記処理が実行されることで、ＰＣ２側で着信を通知する着信音が再生される。そのため、ユーザはＰＣ２にメールが届いたこと知ることができる。また、その際、ＰＣ２では携帯電話１で通話相手ごとに設定されている着信音が再生されるため、その着信音よりアクセス元であるメールの送信元を知ることができる。
【００９９】
なお、上記ステップＳ１００５で携帯電話１に要求してステップＳ１００６で受信した着信音の音声データは、着信に先だって予めＰＣ２に用意されていてもよい。その場合の処理について、第２の実施の形態において説明する。
【０１００】
［第２の実施の形態］
第２の実施の形態にかかる情報通信システムの装置構成、および情報通信システムに含まれる携帯電話１ならびにＰＣ２のハードウェア構成は第１の実施の形態にかかるそれらの構成と同様である。
【０１０１】
図８は、本実施の形態にかかる処理を実現するためのＰＣ２の機能構成の具体例を示すブロック図である。
【０１０２】
図８を参照して、本実施の形態にかかるＰＣ２の機能は、図５に示された第１の実施の形態にかかるＰＣ２の機能のうちの通知パターン要求部２２５に替えて通知パターン調査部２３１、通知パターン取得部２３３、および通知パターン検索部２３５を含んで構成される。これらの機能もまた、ＣＰＵ２０１が記憶装置２０２に記憶されているプログラムを読込んで実行することによって主にＣＰＵ２０１に形成される機能であるが、その一部が図３に示されるハードウェア構成によって実現されてもよい。
【０１０３】
通知パターン調査部２３１はシリアルケーブル３を介して携帯電話１にアクセスして、アドレス帳データをＰＣ２の記憶装置２０２に記憶されている音声データと比較し、アドレス帳に登録されている着信音の音声データのうちＰＣ２の記憶装置２０２に記憶されていない音声データを調査する。その調査結果は通知パターン取得部２３３に入力される。なお、ここでは、携帯電話１のアドレス帳データに登録されている着信音の音声データとＰＣ２の記憶装置２０２に記憶されている音声データとがまったく同一でない場合であっても、所定の属性が同じであれば他の属性が異なっていても同じ着信音の音声データと調査されてもよい。所定の属性としては、たとえば楽曲のタイトルが挙げられる。
【０１０４】
通知パターン取得部２３３はその調査結果に基づいて、必要な音声データを取得する。通知パターン取得部２３３での取得方法は、第１の実施の形態にかかる通知パターン要求部２２５と同様に携帯電話１に要求して取得する方法であってもよいし、楽曲を提供しているサーバ等の他の装置に要求して取得する方法であってもよいし、ＣＤ−ＲＯＭ（Compact Disk-Read Only Memory）等の記録媒体に記録されている音声データを読出すことで取得する方法であってもよい。また、通知パターン取得部２３３で取得される音声データはＰＣ２の記憶装置２０２に記憶されている音声データとまったく同一のものでなくてもよく、所定の属性が同じであれば他の属性が異なっている音声データであってもよい。たとえば、携帯電話１にある楽曲の音声データがＭＰ３（MPEG(Moving Pictures Experts Group)-1 Audio Layer-III）形式で記憶されているときに通知パターン取得部２３３でその楽曲の非圧縮の音声データが取得されてもよい。このような取得方法は、携帯電話１とＰＣ２とのように２つの機器のデータ処理能力に大きな差異がある場合に特に有効である。またたとえば、楽曲のタイトルが同一で、その他、アレンジや演奏者などが異なる音声データであってもよい。通知パターン取得部２３３で取得された音声データは記憶装置２０２の所定領域に記憶される。
【０１０５】
通知パターン検索部２３５は、上記通知パターン要求部２２５に替わって通知パターン特定部２２３より、受信したメールの送信元アドレスに対応する通知パターンとして特定された着信音の情報を受取り、記憶装置２０２の所定領域を検索する。そして、抽出されたその着信音の音声データを通知パターン再生部２２９に入力する。
【０１０６】
図９は、本実施の形態にかかるＰＣ２で実行される処理の流れを示すフローチャートである。本実施の形態においては、第１の実施の形態にかかる処理に先だってステップＳ２００２〜Ｓ２００４の処理が実行される。また、上記ステップＳ１００５，Ｓ１００６の処理に替えてステップＳ２００５，Ｓ２００６の処理が実行される。図９のフローチャートに示される処理もまた、ＣＰＵ２０１が記憶装置２０２に記憶されているプログラムを読込んで実行し、図５に示される各部を制御することで実現される。
【０１０７】
図９を参照して、始めに、携帯電話１と接続されたときや、規定の時間間隔などの所定のタイミングに、通知パターン調査部２３１において携帯電話１のアドレス帳に登録されている着信音が調査される（ステップＳ２００２）。携帯電話１の記憶装置１０２に図４に示されたアドレス帳データが記憶されている場合、ステップＳ２００２では、「通話相手Ａ」に対応した「楽曲Ａ」と「通話相手Ｂ」に対応した「楽曲Ｂ」とが登録されていることが調査される。そして、通知パターン調査部２３１においてこれらの音声データが記憶装置２０２に記憶されているか否かが判断されて、記憶されていない音声データがあると判断された場合には（ステップＳ２００３でＮＯ）、通知パターン取得部２３３においてその音声データを取得する処理がなされる（ステップＳ２００３）。ステップＳ２００３では、これらの音声データを携帯電話１から取得されてもよいし、楽曲を提供しているサーバ等の他の装置から取得されてもよいし、ＣＤ−ＲＯＭ等の記録媒体から読出されて取得されてもよいし、その他の方法で取得されてもよい。本発明においてここでの取得方法は限定されない。
【０１０８】
上記ステップＳ２００２〜Ｓ２００４の処理が完了すると、メールの着信を検出するまで待機する。そして、インターネット等の公衆回線４を介してメールが着信したことが検出されると（ステップＳ１００２でＹＥＳ）、アクセス元特定部２２１において、端子２０６を介して入力されたメールが解析されて送信元のアドレスが認識され、アクセス元が特定される（ステップＳ１００３）。そして、通知パターン特定部２２３において、携帯電話１に記憶されているアドレス帳データが参照されて、ステップＳ１００３で認識されたメールアドレスに対応した通話相手に対して設定されている着信音が特定される（ステップＳ１００４）。
【０１０９】
次に、通知パターン検索部２３５においてＰＣ２の記憶装置２０２が検索され、上記ステップＳ２００２〜Ｓ２００４の処理で予め記憶されている音声データの中から、ステップＳ１００４で特定された着信音の音声データが取得される（ステップＳ２００５）。ステップＳ２００５で取得された音声データは通知パターン再生部２２９においてスピーカ２０８で着信音として再生するための処理がなされる（ステップＳ２００６）。
【０１１０】
なお、第１の実施の形態と同様に、ＰＣ２にもアドレス帳が記憶され、ＰＣ２は携帯電話１を接続した際に両者のアドレス帳を予め同期させ、メール着信時にＰＣ２は携帯電話１のアドレス帳ではなく自らのアドレス帳を参照して、自らに録音されている着信音の音声データを鳴動させるような実装になっていてもよい。
【０１１１】
また、第１の実施の形態と同様に、アドレス帳の参照に関しては機器間で認証が行なわれることが好ましい。または、暗号化された形で通信が行なわれることが好ましい。
【０１１２】
本実施の形態にかかるＰＣ２において上記処理が実行されることでも、ＰＣ２側で着信を通知する着信音が再生される。そのため、ユーザはＰＣ２にメールが届いたこと知ることができる。また、その際、ＰＣ２では携帯電話１で通話相手ごとに設定されている着信音が再生されるため、その着信音よりアクセス元であるメールの送信元を知ることができる。
【０１１３】
［第３の実施の形態］
着信音の音声データのコピーや転送などの使用が技術的に制限されている場合の処理について第３の実施の形態において説明する。
【０１１４】
音声データの使用の制限としては、転送の禁止、コピーの禁止、および音声データの暗号化が挙げられる。以下、各制限がある場合の情報通信システムでの処理について説明する。
【０１１５】
（音声データの転送が禁止されている場合）
着信音の音声データを携帯電話１から他の機器へ転送できないように管理されている場合、上記ステップＳ１００５またはステップＳ２００４でＰＣ２の通知パターン要求部２２５または通知パターン取得部２３３において携帯電話１に対して音声データが要求されると、携帯電話１は、音声データに替えて音声データの転送が禁止されていることを示す情報を送信する。
【０１１６】
上記ステップＳ１００６またはステップＳ２００４で通知パターン受信部２２７または通知パターン取得部２３３においてこのような情報を受信したことが検出されると、ＣＰＵ２０１は通知パターン要求部２２５または通知パターン取得部２３３に制御信号を出力し、インターネット等の公衆回線４を介して適切なサーバから必要な音声データのダウンロードを行なわせ、記憶装置２０２に音声データを記憶させたり、適切なサーバからストリーミング受信しながら再生させたりできる。上記適切なサーバへのアクセス情報は予めＰＣ２に記憶されていてもよいし、携帯電話１からＰＣ２に対して送信される上記情報に含まれていてもよいし、ユーザに指定されるものであってもよい。また、上記適切なサーバがない場合、または音声データのその他の取得方法として、ユーザから音声データの入力を受付けてもよい。また、デフォルト設定の音声データを用いてもよい。
【０１１７】
（音声データのコピーが禁止されている場合）
携帯電話１からＰＣ２に対して着信音の音声データをストリーミング送信することは許可されているもののその音声データをＰＣ２に保存することが禁止されている場合、上記ステップＳ２００４で通知パターン取得部２３３において携帯電話１に対して音声データのコピーが要求されると、携帯電話１は、音声データに替えてストリーミング送信は許可されているものの保存が禁止されていることを示す情報を送信する。上記ステップＳ２００４で通知パターン取得部２３３において携帯電話１から音声データに替えてこのような情報が受信されると、音声データと同様に記憶装置２０２に記憶される。
【０１１８】
上記ステップＳ２００５において音声データ検索時に上記情報が取得されると、通知パターン取得部２３３において携帯電話１に対して当該着信音の音声データのストリーミング送信が要求される。この場合の再生処理は上記ステップＳ１００６での再生処理と同様である。
【０１１９】
なお、携帯電話１およびＰＣ２の少なくとも一方の装置がストリーミング送受信に対応していない場合には、上述の音声データの転送が禁止されている場合と同様の処理を行なう事ができる。
【０１２０】
（音声データが暗号化されている場合）
携帯電話１に記憶されている音声データが暗号化され、デコードするための鍵が必要な場合、携帯電話１からＰＣ２にコピーされても鍵が取得されないと再生することができない。この音声データをＰＣ２で再生する方法として、次の３つの方法が考えられる。
【０１２１】
（第１の方法）
上記ステップＳ１００２でメールの受信が検出されて上記ステップＳ１００５で必要な音声データが要求されると、携帯電話１のＣＰＵ１０１では要求された音声データが暗号化された音声データであるか否かが判断され、暗号化された音声データである場合には、予め取得されている鍵を用いて音声データをデコードした後にＰＣ２に対してストリーミング送信する。その際、デコードされた音声データと共に、当該音声データのコピーを禁止する情報も送信する。
【０１２２】
このような情報が付加された音声データを受信したＰＣ２では、上述の音声データのコピーが禁止されている場合の処理と同様の処理が実行される。
【０１２３】
（第２の方法）
上記ステップＳ１００２でメールの受信が検出されて上記ステップＳ１００５で必要な音声データが要求されると、携帯電話１のＣＰＵ１０１では要求された音声データが暗号化された音声データであるか否かが判断され、暗号化された音声データである場合には、音声データに替えて、当該音声データが暗号化されたデータであり転送が禁止されていることを示す情報を送信する。
【０１２４】
このような情報が付加された音声データを受信したＰＣ２では、上述の音声データの転送が禁止されている場合の処理と同様の処理が実行される。
【０１２５】
（第３の方法）
上記ステップＳ１００６または上記ステップＳ２００４で、通知パターン受信部２２７または通知パターン取得部２３３において暗号化されたデータを取得したことが検出されると、ＣＰＵ２０１は通知パターン要求部２２５または通知パターン取得部２３３に制御信号を出力し、暗号化された音声データを記憶装置２０２に記憶させた後、インターネット等の公衆回線４を介して、当該音声データをデコードするために必要な鍵が置かれているサーバから必要な鍵を取得させる。上記サーバへのアクセス情報は予めＰＣ２に記憶されていてもよいし、携帯電話１からＰＣ２に対して音声データと共に送信されてもよいし、ユーザに指定されるものであってもよい。
【０１２６】
なお、鍵の入手は有料であっても無料であってもよい。特に、鍵の入手が有料の場合、上記サーバへのアクセス時に、すでに携帯電話１に鍵が記憶されていることを示す情報がＰＣ２からサーバに送信されてもよい。また、ＰＣ２からのアクセスに応じて上記サーバが携帯電話１にアクセスしてすでに鍵が記憶されていることを確認するようにしてもよい。携帯電話１にすでに鍵が記憶されていることが確認された場合には、ＰＣ２での鍵の入手を無料にしたり金額を割引いたりするようにサーバが実装されていることが好ましい。
【０１２７】
なお、上記第１〜第３の実施の形態にかかる情報通信システムには携帯電話１とＰＣ２とが含まれているものとされているが、情報通信システムに含まれる装置はこれらの装置に限定されない。
【０１２８】
上記処理を行なう機器はＰＣに限定されず、アドレス帳機能を有し、そこに登録されている相手先からのアクセスに対して通知パターンとして着信音等のコンテンツデータを割当てることが可能な情報通信機器であればよく、具体的には、ＰＨＳ（Personal Handyphone System）、固定電話回線用の電話機、ファクシミリ送受信装置、テレビジョン受像機等の画像音声再生機器（ＡＶ機器）、ＰＤＡ（Personal Digital Assistants）端末、音楽再生端末、ワークステーション、いわゆるホームサーバ、ブロードバンドルータ、およびゲーム機などであってもよいし、それらに搭載される装置であってもよい。
【０１２９】
また、第１〜第３の実施の形態においては、ＰＣ２でのメールの着信を通知する携帯電話１と同じ通知パターンを取得する処理について説明されているが、アクセスおよびそのアクセスを受ける装置の他の具体例としては、固定電話に電話がかかってきた場合やファクシミリ送受信機がファクシミリ受信した場合やＡＶ機器に番組情報等が届いた場合などにもそれら装置において同様の処理がなされてもよい。
【０１３０】
また、アドレス帳を参照される側の機器も携帯電話に限定されず、個人のデータを管理できる機器であればよく、具体的には、ＰＨＳ、固定電話回線用の電話機、ファクシミリ送受信機、ＰＤＡ、電子手帳、および携帯型音楽再生機などであってもよいし、それらに搭載される装置であってもよい。また、ＰＤＡ端末にアドレス帳機能だけを持たせた機器や、音楽再生端末にアドレス帳機能を追加した機器などであってもよい。
【０１３１】
また、第１〜第３の実施の形態においては、通知パターンとして着信音であるコンテンツが再生されるとされているが、着信音の他のコンテンツとして、一般的な音声、メロディ、警告音などであってもよい。それらの音声データも上述の着信音の音声データと同様に取扱かわれる。また、コンテンツデータとしては音声データに限定されず、ＬＣＤ２０５に表示するための画像や映像のデータ、バイブレータの振動パターンを実現するための制御データ等、再生することによってアクセス元を区別してユーザに通知できるようなコンテンツデータであればいかなるデータであってもよい。
【０１３２】
さらに、上記処理をコンピュータに実行させるためのプログラムを提供することもできる。このようなプログラムは、フレキシブルディスク、ＣＤ−ＲＯＭ、およびメモリカードなどの、コンピュータ読取り可能なリムーバブルメディアに記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３３】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１３４】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１３５】
提供されるプログラム製品は、ハードディスクなどのプログラム格納部にインストールされて実行される。なお、プログラム製品は、プログラム自体と、プログラムが記録された記録媒体とを含む。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３７】
【図１】情報通信システムの装置構成の具体例を示す図である。
【図２】携帯電話１のハードウェア構成の具体例を示すブロック図である。
【図３】ＰＣ２のハードウェア構成の具体例を示すブロック図である。
【図４】アドレス帳に登録されている相手先データの具体例を示す図である。
【図５】第１の実施の形態にかかるＰＣ２の機能構成の具体例を示すブロック図である。
【図６】第１の実施の形態にかかるＰＣ２で実行される処理の流れを示すフローチャートである。
【図７】第１の実施の形態の変形例にかかる携帯電話１およびＰＣ２の機能構成の具体例を示すブロック図である。
【図８】第２の実施の形態にかかるＰＣ２の機能構成の具体例を示すブロック図である。
【図９】第２の実施の形態にかかるＰＣ２で実行される処理の流れを示すフローチャートである。
【符号の説明】
【０１３８】
１  携帯電話、２  ＰＣ、３  シリアルケーブル、４  公衆回線、１０１，２０１  ＣＰＵ、１０２，２０２  記憶装置、１０３  プッシュボタン、１０４  ＬＣＤ、１０５  アンテナ、１０６，２０６，２０７  端子、２０３  キーボード、２０４  ポインティングデバイス、２０５  ＬＣＤ、２０８  スピーカ、２２１  アクセス元特定部、２２３  通知パターン特定部、２２５  通知パターン要求部、２２７  通知パターン受信部、２２９  通知パターン再生部、２３１  通知パターン調査部、２３３  通知パターン取得部、２３５  通知パターン検索部。
【図１】
0004726670.tif 000002
【図２】
0004726670.tif 000003
【図３】
0004726670.tif 000004
【図４】
0004726670.tif 000005
【図５】
0004726670.tif 000006
【図６】
0004726670.tif 000007
【図７】
0004726670.tif 000008
【図８】
0004726670.tif 000009
【図９】
0004726670.tif 000010